【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
三次元映像信号及び二次元映像信号を受信する映像信号受信装置であって、
前記三次元映像信号に基づく、眼鏡を用いることで立体視可能な三次元映像又は前記二次元映像信号に基づく二次元映像を表示する表示部と、
ユーザが眼鏡を用いて三次元映像を視認可能な状態であるか否かを検出する検出手段と、
前記表示部に表示中の映像が三次元映像であるか又は二次元映像であるかを判定する第１の判定手段と、
前記表示部に表示中の映像に対応し、かつ次元の異なる映像の映像信号を受信可能か否かを判定する第２の判定手段と、
前記検出手段による検出結果及び前記第１の判定手段による判定結果並びに前記第２の判定手段による判定結果に従って、前記表示部に表示する映像を切り換える制御手段と、を備え、
前記制御手段は、ユーザが三次元映像を視認可能な状態で、前記表示部に表示中の映像が二次元映像であると判定され、かつ、当該二次元映像に対応する三次元映像に係る三次元映像信号を受信可能であると判定された場合には、前記表示部に表示する映像を当該三次元映像信号に基づく三次元映像に切り換えるように制御し、ユーザが三次元映像を視認可能でない状態で、前記表示部に表示中の映像が三次元映像であると判定され、かつ、当該三次元映像に対応する二次元映像に係る二次元映像信号を受信可能であると判定された場合には、前記表示部に表示する映像を当該二次元映像信号に基づく二次元映像に切り換えるように制御することを特徴とする放送受信装置。
【請求項２】
前記制御手段に従って切り換えられた映像とともに、前記表示部に表示中の映像に関する情報を表示する制御を行う表示制御手段を有し、
前記表示制御手段は、ユーザが三次元映像を視認可能な状態で、前記表示部に表示中の映像が二次元映像であり、かつ、前記制御手段の制御によって、当該二次元映像に対応する三次元映像信号に基づく三次元映像に切り換えられた場合、当該三次元映像信号に基づく三次元映像とともに、前記表示部に表示中の二次元映像の情報を表示することを特徴とする請求項１に記載の放送受信装置。
【請求項３】
前記制御手段に従って切り換えられた映像とともに、前記表示部に表示中の映像に関する情報を表示する制御を行う表示制御手段を有し、
前記表示制御手段は、ユーザが三次元映像を視認可能ではない状態で、前記表示部に表示中の映像が三次元映像であり、かつ、前記制御手段の制御によって、当該三次元映像に対応する二次元映像信号に基づく二次元映像に切り換えられた場合、当該二次元映像信号に基づく二次元の映像とともに、前記表示部に表示中の三次元映像の情報を表示することを特徴とする請求項１に記載の放送受信装置。
【請求項４】
前記制御手段に従って切り換えられた映像とともに、前記表示部に表示中の映像に関する情報を表示する制御を行う表示制御手段を有し、
前記表示制御手段は、ユーザが三次元映像を視認可能な状態で、前記表示部に表示中の映像が二次元映像であり、かつ、前記制御手段の制御によって、当該二次元映像に対応する三次元映像信号に基づく三次元映像に切り換えられた場合、当該三次元映像信号に基づく三次元映像とともに当該三次元映像において前記表示部に表示中の二次元映像の情報と、自動的に三次元映像信号に基づく三次元映像に切り換えた旨を説明するメッセージを表示することを特徴とする請求項１に記載の放送受信装置。
【請求項５】
前記検出手段は、前記眼鏡に設けたセンサを用いて、ユーザが前記眼鏡を装着したか否かを検出することで、ユーザが三次元映像を視認可能な状態にあるか否かを検出することを特徴とする請求項１乃至４のいずれか１項に記載の放送受信装置。
【請求項６】
前記検出手段は、前記眼鏡に設けた電源スイッチがオン状態になったことを検出することで、ユーザが三次元映像を視認可能な状態にあると検出することを特徴とする請求項１乃至４のいずれか１項に記載の放送受信装置。
【請求項７】
三次元映像信号及び二次元映像信号を受信する映像信号受信装置であって、
前記三次元映像信号に基づく、眼鏡を用いることで立体視可能な三次元映像又は前記二次元映像に基づく二次元映像を表示する表示部と、
ユーザが眼鏡を用いて三次元映像を視認可能な状態であるか否かを検出する検出手段と、
前記二次元映像信号又は前記三次元映像信号に基づく映像の情報に基づいて、順方向又は逆方向に順次送って前記二次元映像又は前記三次元映像を切り換える切換手段と、
前記表示部で表示中の映像が三次元映像であるか又は二次元映像であるかを判定する判定手段と、
前記検出手段による検出結果と、前記判定手段による判定結果に従って、前記表示部に表示する映像の切り換え動作を制御する制御手段と、を備え、
前記制御手段は、ユーザが三次元映像を視認可能な状態で前記切換手段により映像が切り換えられた場合は、前記三次元映像を前記表示部に表示中の映像の映像信号に関する情報に基づいて順次切り換える制御を行い、ユーザが三次元映像を視認可能ではない状態で前記切換手段により映像が切り換えられた場合は、前記二次元映像を前記表示部に表示中の映像の映像信号に関する情報に基づいて順次切り換える制御を行うことを特徴とする放送受信装置。
【請求項８】
前記判定手段は、二次元映像を表示中の二次元映像に対応する映像の集合と、三次元映像を表示中の三次元映像に対応する映像の集合とを示す情報を生成し、
前記制御手段は、前記判定手段が生成した情報を用いて映像を切り換える制御を行うことを特徴とする請求項７に記載の放送受信装置。
【請求項９】
前記検出手段は、前記眼鏡に設けたセンサを用いて、ユーザが前記眼鏡を装着したか否かを検出することで、ユーザが三次元映像を視認可能な状態にあるか否かを検出することを特徴とする請求項７または８に記載の放送受信装置。
【請求項１０】
前記検出手段は、前記眼鏡に設けた電源スイッチがオン状態になったことを検出することで、ユーザが三次元映像を視認可能な状態にあると検出することを特徴とする請求項７または８に記載の放送受信装置。
【請求項１１】
前記制御手段は、前記表示部に表示された映像が、二次元映像又は三次元映像を含む主映像及び副映像を有しているか否かを判定し、
前記制御手段は、前記表示部に表示中の映像が主映像および副映像を有していると判定した場合、ユーザが三次元映像を視認可能な状態か否かについての検出結果、及び前記表示部に表示中の映像の次映像が二次元映像か三次元映像かの判定結果に応じて、二次元映像又は三次元映像のいずれかを表示する選択により、前記主映像または前記副映像の切り換えを制御することを特徴とする請求項１に記載の放送受信装置。
【請求項１２】
三次元映像信号、及び二次元映像信号を受信する映像信号受信装置にて実行される制御方法であって、
前記三次元映像信号に基づく、眼鏡を用いることで立体視可能な三次元映像又は前記二次元映像信号に基づく二次元映像を表示部で表示する表示ステップと、
ユーザが眼鏡を用いて三次元映像を視認可能な状態であるか否かを検出する検出ステップと、
前記表示部で表示中の映像が三次元映像であるか又は二次元映像であるかを判定する第１の判定ステップと、
前記表示部に表示中の映像に対応し、かつ次元の異なる映像の映像信号を受信可能か否かを判定する第２の判定ステップと、
前記検出ステップでの検出結果及び前記第１の判定ステップでの判定結果並びに前記第２の判定ステップでの判定結果に従って、前記表示部に表示する映像を切り換える制御ステップと、を有し、
前記制御ステップでは、ユーザが三次元映像を視認可能な状態で、前記表示部に表示中の映像が二次元映像であると判定され、かつ、当該二次元映像に対応する三次元映像に係る三次元映像信号を受信可能であると判定された場合には、前記表示部に表示する映像を当該三次元映像信号に基づく三次元映像に切り換えるように制御し、ユーザが三次元映像を視認可能でない状態で、前記表示部に表示中の映像が三次元映像であると判定され、かつ、当該三次元映像に対応する二次元映像に係る二次元映像信号を受信可能であると判定された場合には、前記表示部に表示する映像を当該二次元映像信号に基づく二次元映像に切り換えるように制御することを特徴とする放送受信装置の制御方法。
【請求項１３】
前記制御ステップに従って切り換えられた映像とともに、前記表示部に表示中の映像に関する情報を表示する制御を行う表示制御ステップをさらに有し、
前記表示制御ステップでは、ユーザが三次元映像を視認可能な状態で、前記表示部に表示中の映像が二次元映像であり、かつ、前記制御ステップの制御によって、当該二次元映像に対応する三次元映像信号に基づく二次元映像に切り換えられた場合、当該三次元映像信号に基づく三次元映像とともに、前記表示部に表示中の二次元映像の情報を表示することを特徴とする請求項１２に記載の放送受信装置の制御方法。
【請求項１４】
前記制御ステップに従って切り換えられた映像とともに、前記表示部に表示中の映像に関する情報を表示する制御を行う表示制御ステップをさらに有し、
前記表示制御ステップでは、ユーザが三次元映像を視認可能ではない状態で、前記表示部に表示中の映像が三次元映像であり、かつ、前記制御ステップの制御によって、当該三次元映像に対応する二次元映像信号に基づく二次元映像に切り換えられた場合、当該二次元映像信号に基づく二次元映像とともに、前記表示部に表示中の三次元映像の情報を表示することを特徴とする請求項１２に記載の放送受信装置の制御方法。
【請求項１５】
前記制御ステップに従って切り換えられた映像とともに、前記表示部に表示中の映像に関する情報を表示する制御を行う表示制御ステップをさらに有し、
前記表示制御ステップでは、ユーザが三次元映像を視認可能な状態で、前記表示部に表示中の映像が二次元映像であり、かつ、前記制御ステップの制御によって、当該二次元映像に対応する三次元映像信号に基づく三次元映像に切り換えられた場合、当該三次元映像信号に基づく三次元映像とともに当該三次元映像において前記表示部に表示中の二次元映像の情報と、自動的に三次元映像信号に基づく三次元映像に切り換えた旨を説明するメッセージを表示することを特徴とする請求項１２に記載の放送受信装置の制御方法。
【請求項１６】
前記検出ステップでは、前記眼鏡に設けたセンサを用いて、ユーザが前記眼鏡を装着したか否かを検出することで、ユーザが三次元映像を視認可能な状態にあるか否かを検出することを特徴とする請求項１２乃至１５のいずれか１項に記載の放送受信装置の制御方法。
【請求項１７】
前記検出ステップでは、前記眼鏡に設けた電源スイッチがオン状態になったことを検出することで、ユーザが三次元映像を視認可能な状態にあると検出することを特徴とする請求項１２乃至１５のいずれか１項に記載の放送受信装置の制御方法。
【請求項１８】
三次元映像信号、及び二次元映像信号を受信する映像信号受信装置で実行される制御方法であって、
前記三次元映像信号に基づく、眼鏡を用いることで立体視可能な三次元映像又は前記二次元映像信号に基づく二次元映像を表示部で表示する表示ステップと、
ユーザが眼鏡を用いて三次元映像を視認可能な状態であるか否かを検出する検出ステップと、
前記二次元映像信号又は前記三次元映像信号に基づく映像の情報に基づいて、順方向又は逆方向に順次送って前記二次元映像又は前記三次元映像を切り換える切換ステップと、
前記表示部に表示中の映像が三次元映像であるか又は二次元映像であるかを判定する判定ステップと、
前記検出ステップでの検出結果と、前記判定ステップでの判定結果に従って、前記表示部に表示する映像の切り換え動作を制御する制御ステップと、を有し、
前記制御ステップでは、ユーザが三次元映像を視認可能な状態で、前記切換ステップにより映像が切り換えられた場合は、前記三次元映像を前記表示部に表示中の映像の映像信号に関する情報に基づいて順次切り換える制御を行い、ユーザが三次元映像を視認可能ではない状態で、前記切換ステップにより映像が切り換えられた場合は、前記二次元映像を前記表示部に表示中の映像の映像信号に関する情報に基づいて順次切り換える制御を行うことを特徴とする放送受信装置の制御方法。
【請求項１９】
前記判定ステップでは、二次元映像を表示中の二次元映像に対応する映像の集合と、三次元映像を表示中の三次元映像に対応する映像の集合とを示す情報を生成し、
前記制御ステップでは、前記判定ステップで生成した情報を用いて映像を切り換える制御を行うことを特徴とする請求項１８に記載の放送受信装置の制御方法。
【請求項２０】
前記検出ステップでは、前記眼鏡に設けたセンサを用いて、ユーザが前記眼鏡を装着したか否かを検出することで、ユーザが三次元映像を視認可能な状態にあるか否かを検出することを特徴とする請求項１８または１９に記載の放送受信装置の制御方法。
【請求項２１】
前記検出ステップでは、前記眼鏡に設けた電源スイッチがオン状態になったことを検出することで、ユーザが三次元映像を視認可能な状態にあると検出することを特徴とする請求項１８または１９に記載の放送受信装置の制御方法。
【請求項２２】
前記制御ステップでは、前記表示部に表示された映像が、二次元映像又は三次元映像を含む主映像及び副映像を有しているか否かを判定し、
前記制御ステップでは、前記表示部に表示中の映像が主映像および副映像を有していると判定した場合、ユーザが三次元映像を視認可能な状態か否かについての検出結果、及び前記表示部に表示中の映像の次映像が二次元映像か三次元映像かの判定結果に応じて、二次元映像又は三次元映像のいずれかを表示する選択により、前記主映像または前記副映像の切り換えを制御することを特徴とする請求項１２に記載の放送受信装置の制御方法。
【手続補正２】
【補正対象書類名】明細書
【補正対象項目名】０００６
【補正方法】変更
【補正の内容】
【０００６】
そこで、本発明は三次元映像放送番組と二次元映像放送番組が混在する放送環境において、ユーザが眼鏡を用いて三次元映像を視認可能な状態にあるか否かを判定する。この判定結果に応じて、表示映像の切り換えを容易に行うとともにユーザの利便性を向上させることを目的とする。
【手続補正３】
【補正対象書類名】明細書
【補正対象項目名】０００７
【補正方法】変更
【補正の内容】
【０００７】
上記課題を解決するために、本発明に係る第１の装置は、三次元映像信号及び二次元映像信号を受信する映像信号受信装置であって、前記三次元映像信号に基づく、眼鏡を用いることで立体視可能な三次元像又は前記二次元映像信号に基づく二次元映像を表示する表示部と、ユーザが眼鏡を用いて三次元映像を視認可能な状態であるか否かを検出する検出手段と、前記表示部に表示中の映像が三次元映像であるか又は二次元映像であるかを判定する第１の判定手段と、前記表示部に表示中の映像に対応し、かつ次元の異なる映像の映像信号を受信可能か否かを判定する第２の判定手段と、前記検出手段による検出結果及び前記第１の判定手段による判定結果並びに前記第２の判定手段による判定結果に従って、前記表示部に表示する映像を切り換える制御手段と、を備え、前記制御手段は、ユーザが三次元映像を視認可能な状態で、前記表示部に表示中の映像が二次元映像であると判定され、かつ、当該二次元映像に対応する三次元映像に係る三次元映像信号を受信可能であると判定された場合には、前記表示部に表示する映像を当該三次元映像信号に基づく三次元映像に切り換えるように制御し、ユーザが三次元映像を視認可能でない状態で、前記表示部に表示中の映像が三次元映像であると判定され、かつ、当該三次元映像に対応する二次元映像に係る二次元映像信号を受信可能であると判定された場合には、前記表示部に表示する映像を当該二次元映像信号に基づく二次元映像に切り換えるように制御する。
【手続補正４】
【補正対象書類名】明細書
【補正対象項目名】０００８
【補正方法】変更
【補正の内容】
【０００８】
本発明に係る第２の装置は、三次元映像信号及び二次元映像信号を受信する映像信号受信装置であって、前記三次元映像信号に基づく、眼鏡を用いることで立体視可能な三次元映像又は前記二次元映像に基づく二次元映像を表示する表示部と、ユーザが眼鏡を用いて三次元映像を視認可能な状態であるか否かを検出する検出手段と、前記二次元映像信号又は前記三次元映像信号に基づく映像の情報に基づいて、順方向又は逆方向に順次送って前記二次元映像又は前記三次元映像を切り換える切換手段と、前記表示部で表示中の映像が三次元映像であるか又は二次元映像であるかを判定する判定手段と、前記検出手段による検出結果と、前記判定手段による判定結果に従って、前記表示部に表示する映像の切り換え動作を制御する制御手段と、を備え、前記制御手段は、ユーザが三次元映像を視認可能な状態で前記切換手段により映像が切り換えられた場合は、前記三次元映像を前記表示部に表示中の映像の映像信号に関する情報に基づいて順次切り換える制御を行い、ユーザが三次元映像を視認可能ではない状態で前記切換手段により映像が切り換えられた場合は、前記二次元映像を前記表示部に表示中の映像の映像信号に関する情報に基づいて順次切り換える制御を行う。
【手続補正５】
【補正対象書類名】明細書
【補正対象項目名】０００９
【補正方法】変更
【補正の内容】
【０００９】
本発明によれば、三次元映像放送番組と二次元映像放送番組が混在する放送環境において、ユーザが眼鏡を用いて三次元映像を視認可能な状態にあるか否かを判定する。この判定結果に応じて、表示映像の切り換えを容易に行うとともにユーザの利便性を向上させることが可能となる。